(57)【要約】【課題】各種の要因によって光ファイバ心線に生じるＰＭＤが確実に抑えられた光ケーブルを提供する。【解決手段】複数の光ファイバ心線２６をそれぞれの軸を中心に捻回した状態で樹脂２７により一体化して光ファイバユニットである多心ユニット２５とし、多心ユニット２５をスロット２２の螺旋状の溝部２４に撚り返し無しで収納することにより捻回させた状態で収納する。そして、多心ユニット２５内における光ファイバ心線２６を、多心ユニット２５の捻回方向と逆方向に捻回させておく。【選択図】図１
2007226051.tif 000002
【特許請求の範囲】
【請求項１】
複数の光ファイバ心線をそれぞれの軸を中心に捻回した状態で樹脂により一体化して光ファイバユニットとし、複数の前記光ファイバユニットが撚られて集合された光ケーブルであって、
前記光ファイバユニットはその撚り方向に合わせて捻回されて当該光ケーブル内に収納されており、
前記光ファイバユニット内における前記光ファイバ心線の捻回方向と前記光ファイバユニットの捻回方向が逆であることを特徴とする光ケーブル。
【請求項２】
請求項１に記載の光ケーブルであって、
前記光ファイバユニット内における前記光ファイバ心線の捻回ピッチと、前記光ファイバユニットの捻回ピッチが等しいことを特徴とする光ケーブル。
【請求項３】
請求項１または２に記載の光ケーブルであって、
前記光ファイバユニットは、略円形断面の長尺体の外周に螺旋状の溝部を形成してなるスペーサの、該溝部内に収納されることで前記溝部の螺旋ピッチと等しい撚りピッチで撚られており、前記溝部内でその撚り方向に合わせて捻回されていることを特徴とするテープスロット型の光ケーブル。
【請求項４】
請求項１または２に記載の光ケーブルであって、
複数の前記光ファイバユニットは、光ケーブルの内部で束ねて撚られていることを特徴とするスロットレス型の光ケーブル。
【発明の詳細な説明】
【技術分野】
【０００１】
本発明は、複数本の光ファイバ心線を樹脂により一体化してなる光ファイバユニットを収納した光ケーブルに関するものである。
【背景技術】
【０００２】
従来、複数本の光ファイバ心線を樹脂により一体化した光ファイバユニットを収納した光ケーブルが用いられている。そのような光ケーブルとして、略円形断面の長尺体の外周に螺旋状の溝部を形成してなるスペーサの、該溝部内に複数本の光ファイバ心線を樹脂により一体化した光ファイバテープ心線を複数積層させて収納したものが知られている。
【０００３】
光ファイバで高速・長距離伝送を行う際の信号劣化の要因の一つとして、偏波モード分散（ＰＭＤ：Polarization Mode Dispersion）がある。このＰＭＤは、光ファイバ中を伝搬する光信号の２つの直交する偏波モードの群遅延差によって引き起こされるもので、２つの直交する偏波間の信号の伝送速度の差として、ｐｓ／ｋｍ１／２の単位で評価される。
【０００４】
このＰＭＤの原因となる光ファイバの異方性は、光ファイバのコアの楕円化、もしくは、各種の応力による複屈折によって生じるが、具体的には、光ファイバの母材となるガラス母材の熱履歴によって生じる歪み、ガラス母材から光ファイバを線引きする際の周方向における加熱温度、冷却温度のばらつき、あるいは光ケーブルとした状態における光ファイバの軸とコアの中心とのずれやコアの断面形状が楕円等であることによって生じる。
【０００５】
このため、複数本の光ファイバ心線をスペーサの螺旋状の溝内に収納した光ケーブルにおいて、光ファイバ心線のＰＭＤを低減させるために、光ファイバ心線の撚りピッチを短くすることにより、部分的に捻率（単位長さ当りの捻回量）を大きくし、元々有している光ファイバの直交する偏波モード分散の平均化を図り、ＰＭＤを低減することが知られている（例えば、特許文献１参照）。
【０００６】
【特許文献１】特開２００２−１２２７６２号公報
【発明の開示】
【発明が解決しようとする課題】
【０００７】
しかしながら、光ファイバは、その捻率を単純に増加させればＰＭＤが低下するわけではなく、ある捻率以上になると、ＰＭＤは再び増加し始める。これは、捻回歪による偏光方向の旋光によって、右回り円偏光と左回り円偏光に群遅延差が生じるためである。このため、低ＰＭＤの光ケーブルを作製する為には、この現象によるＰＭＤの増加も抑える必要がある。
【０００８】
本発明は、各種の要因によって光ファイバに生じるＰＭＤが確実に抑えられた光ケーブルを提供することを目的としている。
【課題を解決するための手段】
【０００９】
上記課題を解決することのできる本発明に係る光ケーブルは、複数の光ファイバ心線をそれぞれの軸を中心に捻回した状態で樹脂により一体化して光ファイバユニットとし、複数の前記光ファイバユニットが撚られて集合された光ケーブルであって、前記光ファイバユニットはその撚り方向に合わせて捻回されて当該光ケーブル内に収納されており、前記光ファイバユニット内における前記光ファイバ心線の捻回方向と前記光ファイバユニットの捻回方向が逆であることを特徴とする。
【００１０】
本発明に係る光ケーブルにおいて、前記光ファイバユニット内における前記光ファイバ心線の捻回ピッチと、前記光ファイバユニットの捻回ピッチが等しいことが好ましい。
【００１１】
また、本発明に係る光ケーブルにおいて、前記光ファイバユニットは、略円形断面の長尺体の外周に螺旋状の溝部を形成してなるスペーサの、該溝部内に収納されることで前記溝部の螺旋ピッチと等しい撚りピッチで撚られており、前記溝部内でその撚り方向に合わせて捻回されていることが好ましい。すなわち、所謂テープスロット型の光ケーブルであることが好ましい。
もしくは、本発明に係る光ケーブルにおいて、複数の前記光ファイバユニットは、光ケーブルの内部で束ねて撚られていても良い。すなわち、所謂スロットレス型の光ケーブルであっても良い。
【発明の効果】
【００１２】
本発明の光ケーブルによれば、光ファイバユニット内で予め捻回された光ファイバ心線の捻回方向とは逆方向に光ファイバユニットを捻回させることにより、光ファイバ心線が元々有している直交する偏波モード分散の平均化を図るとともに、円偏光の伝搬速度差の発生を抑制して捻回による偏波モード分散の低減も図ることができる。つまり、各種原因によって光ファイバ心線に生じる偏波モード分散を確実に抑えることができる。
【発明を実施するための最良の形態】
【００１３】
以下、本発明に係る光ケーブルの実施形態の例について図面を参照して説明する。
（捻回によるＰＭＤの低減効果の原理）
図１は、光ファイバ心線を捻回させた際に生じるＰＭＤを示すグラフである。
図１に示すように、光ファイバ心線を捻回させると、この光ファイバ心線には、ＰＭＤの変化に関する２つの現象が発生する。これら現象の内の１つは捻回によるファイバ異方性方向の回転によって、直交する偏波モードの平均化により両モード間の速度差が平均化されＰＭＤが低下する現象Ａ（図１に示す曲線Ａ）であり、もう１つは捻回によって偏光方向の旋光が起き、右回り円偏光と左回り円偏光に群遅延差が生じ、ＰＭＤが負に増加する現象Ｂ（図１に示す曲線Ｂ）である。
そして、光ファイバ心線に捻回が加わるように収納した光ケーブルでは、この現象Ｂが無視できなくなる。
【００１４】
本発明者による鋭意検討の結果、複数の光ファイバ心線を樹脂により一体化した光ファイバユニットを収納した光ケーブルでＰＭＤを増加させる大きな原因は、光ファイバ心線を例えばテープ心線などのように一体化してユニット化することにより生じる外力で発生する応力の異方性であることがわかっており、これを低減させるためには光ファイバユニットを捻回させる必要がある。
つまり、光ファイバ心線のＰＭＤを低減させるには、光ファイバ心線自体に機械的な捻回歪みを生じさせることなく光ファイバユニットを撚ることが理想的であると考えられる。
【００１５】
（実施形態）
次に、本発明に係る光ケーブルの実施形態の例について、図を参照しながら具体的に説明する。
図２は、本実施形態に係る光ケーブルの構造を示す光ケーブルの断面図である。
図２に示すように、この光ケーブル２０は、ケーブルコア２１を有している。このケーブルコア２１は、鋼線等からなるテンションメンバ２３が中心に設けられたスペーサ２２を有している。
【００１６】
このスペーサ２２は、その外周面に、螺旋状に形成された複数の溝部２４が形成されており、これらの溝部２４は、長手方向に沿って一方向の螺旋状に形成されている。このスペーサ２２の溝部２４には、光ファイバユニットである多心ユニット２５がそれぞれ収納されている。この多心ユニット２５は、複数（本例では８本）の光ファイバ心線２６を束ねて樹脂２７によって一体化したものである。樹脂２７には熱可塑性樹脂が好適に使用され、束ねた光ファイバ心線２６の周囲に樹脂２７が押し出しされることで多心ユニット２５が形成されている。
また、スペーサ２２は、その外周に、押さえ巻き２８が巻き付けられ、その外周が外被２９によって覆われている。
【００１７】
この光ケーブル２０では、多心ユニット２５が、スペーサ２２の溝部２４に対して相対的な向きを変えずに撚られて（すなわち、撚り返し無しの状態で）溝部２４内に収納され、これにより、多心ユニット２５は、スペーサ２２の溝部２４の撚り方向に合わせ、溝部２４の螺旋ピッチと等しい撚りピッチで捻回されている。
また、多心ユニット２５は、それぞれの光ファイバ心線２６が、それぞれの軸を中心として捻回した状態で樹脂２７によって一体化されている。そして、この多心ユニット２５内におけるそれぞれの光ファイバ心線２６の捻回方向と、溝部２４の撚り方向に合わせて捻回された多心ユニット２５の捻回方向とが逆方向とされている。
例えば、多心ユニット２５をピッチ５００ｍｍで左捻回した光ケーブル２０では、多心ユニット２５中の光ファイバ心線２６は、ピッチ５００ｍｍの右捻回が与えられている。
【００１８】
図３に、光ケーブル２０の長手方向における溝部２４、多心ユニット２５、及び光ファイバ心線２６の向きの変化を示す。
光ケーブル２０は、その長手方向の位置が変化するに従って、スペーサ２２の溝部２４の向きＤａが、図３中（ａ），（ｂ），（ｃ）の順に、撚り方向に向かって次第に傾く。
そして、このスペーサ２２の溝部２４が傾くと、この溝部２４内に撚り返し無しの状態で収納されて溝部２４とともに捻回される多心ユニット２５の向きＤｂも、溝部２４の向きＤａと同様に、図３中（ａ），（ｂ），（ｃ）の順に撚り方向に向かって次第に傾く。
ここで、多心ユニット２５の光ファイバ心線２６は、その軸を中心として多心ユニット２５の捻回方向と逆方向へ多心ユニット２５の捻回ピッチと等しい捻回ピッチで捻回されているため、図３（ａ），（ｂ），（ｃ）に示すように、光ファイバ心線２６は、その向きＤｃが常に同一方向に向けられた状態となる。
【００１９】
このように、この光ケーブル２０では、多心ユニット２５が捻回された状態で収納されるが、この多心ユニット２５内で、その捻回方向と逆方向に捻回された光ファイバ心線２６は、その捻回量が相殺されることにより、長手方向にわたって捻回応力のない状態で収納される。
【００２０】
ここで、図４に、多心ユニットの捻回無しの状態での光ファイバ中を伝搬する光信号の２つの直交する偏波モードの群遅延差が０．５ｐｓ／ｋｍである光ファイバ心線が、捻回を受けたときの捻率（長さ当たりの捻回回転数）に対するＰＭＤ変化の計算結果を示す。
【００２１】
なお、図４のグラフ中の実線は、光ファイバ心線２６を多心ユニット２５の捻回方向と逆方向へ予め捻回させることにより、相対的な捻回がなく捻回応力がない本実施形態の場合の光ファイバ心線２６のＰＭＤ値を示し、図４のグラフ中の破線は、例えば、内部で光ファイバ心線が捻回されていない多心ユニットを溝部に撚り返し無しの状態で収納することにより、光ファイバ心線が溝部の撚り方向に合わせて捻回されて捻回応力が付加された場合の光ファイバ心線のＰＭＤ値を示す。
【００２２】
また、図５に、多心ユニットの捻回無しの状態での光ファイバ中を伝搬する光信号の２つの直交する偏波モードの群遅延差が０．１ｐｓ／ｋｍである光ファイバ心線が、捻回を受けたときの捻率に対するＰＭＤ変化の計算結果を示す。
なお、図５のグラフ中の実線と破線は、図４に示した実線と破線と同様の条件のＰＭＤの変化を示すものである。
【００２３】
図４及び図５に示すように、光ファイバ心線２６を多心ユニット２５の捻回方向と逆方向へ予め捻回させることにより、光ファイバ心線２６の捻回応力をなくした本実施形態の構造では、捻率が増加するにしたがってＰＭＤが低下し、その後ＰＭＤが増加することはない。これに対して、光ファイバ心線に捻回応力がある場合では、ＰＭＤが一旦下がって最も低くなる最適な捻率の条件が存在するが、それよりも捻率が高くなると、ＰＭＤが次第に増加してしまう。
また、図５に示すように、ＰＭＤ実力値が低い場合、光ファイバ心線２６を多心ユニット２５の捻回方向と逆方向へ予め捻回させることにより、光ファイバ心線２６の捻回応力をなくした本実施形態の構造では、低い捻率からＰＭＤがほとんど現れない。このことから、特に、ＰＭＤ実力値が低い光ファイバ心線２６の場合には、捻回応力を発生させることなくケーブル化した方が、低ＰＭＤ化を実現できることがわかる。
【００２４】
なお、ＰＭＤ実力値にはバラつきが存在し、また、ユニットの収納状態などによりＰＭＤは変動するため、ユニット内の全ての光ファイバ心線をＰＭＤが一旦下がる最適捻率条件に合わせて捻回させることは極めて難しい。特に、ユニットがテープ心線である場合には、外側に配置されている光ファイバ心線と内側に配置されている光ファイバ心線とで、ＰＭＤ値が異なる傾向があるため、全ての光ファイバ心線２６を最適捻率条件とすることは困難である。例えば、図４の最適捻率条件と図５の最適捻率条件は異なっており、これらのような光ファイバ心線が同一ユニット内に含まれている場合、全ての光ファイバ心線に共通する最適捻率条件は存在しない。
このことより、ユニット内のＰＭＤ実力値にバラつきが存在する場合でも、光ファイバ心線２６を多心ユニット２５の捻回方向と逆方向へ予め捻回させて捻回応力を相殺させ、捻率を大きくすることにより、良好にＰＭＤの低減を図ることができる。
【００２５】
次に、本発明の光ケーブルに係る他の実施形態の例について説明する。
図６は、光ケーブルの構造を示す光ケーブルの断面図である。
図６に示すように、この光ケーブル３０は、光ファイバユニットである光ファイバテープ心線３５を複数積層させてなるテープスタック３６が複数収納されている。光ファイバテープ心線３５は、複数（本例では４本）の光ファイバ心線２６（図７参照）を並列に配設し、その周りに熱可塑性樹脂等の樹脂を押し出して一体化したものである。
【００２６】
そして、この構造の光ケーブル３０では、テープスタック３６が、スペーサ３２の一方向撚り螺旋状に形成された溝部３４に対して撚り返し無しの状態で溝部３４内に収納され、これにより、テープスタック３６は、スペーサ３２の溝部３４の撚り方向に合わせ、溝部２４の螺旋ピッチと等しい撚りピッチで捻回されている。
また、テープスタック３６の光ファイバテープ心線３５では、それぞれの光ファイバ心線２６が、それぞれの軸を中心として捻回した状態で樹脂２７によって一体化されている。そして、このテープスタック３６の光ファイバテープ心線３５内におけるそれぞれの光ファイバ心線２６の捻回方向と、溝部３４の撚り方向に合わせて捻回されたテープスタック３６の捻回方向とが逆方向とされている。
【００２７】
図７に、光ケーブル３０の長手方向における溝部３４、光ファイバテープ心線３５、及び光ファイバ心線２６の向きの変化を示す。なお、この図７では、便宜上、テープスタック３６を構成する最下層の光ファイバテープ心線３５のみを図示している。
光ケーブル３０は、その長手方向の位置が変化するに従って、スロット３２の溝部３４の向きＤａが、図７中（ａ），（ｂ），（ｃ）の順に、撚り方向に向かって次第に傾く。
そして、このスペーサ３２の溝部３４が傾くと、この溝部３４内に撚り返し無しの状態で収納されて溝部３４とともに捻回される光ファイバテープ心線３５の向きＤｂも、溝部３４の向きＤａと同様に、図７中（ａ），（ｂ），（ｃ）の順に、撚り方向に向かって次第に傾く。
【００２８】
ここで、光ファイバテープ心線３５の光ファイバ心線２６は、その軸を中心として光ファイバテープ心線３５の捻回方向と逆方向へ光ファイバテープ心線３５の捻回ピッチと等しい捻回ピッチで捻回されているため、図７中（ａ），（ｂ），（ｃ）に示すように、光ファイバ心線２６は、その向きＤｃが常に同一方向に向けられた状態となる。
これにより、この光ケーブル３０では、光ファイバテープ心線３５が捻回された状態で収納されるが、この光ファイバテープ心線３５内でその捻回方向と逆方向に捻回された光ファイバ心線２６は、その捻回量が相殺されることにより、長手方向にわたって捻回応力のない状態で収納される。したがって、光ファイバ心線２６の低ＰＭＤ化を実現することができる。
【００２９】
なお、上記実施形態では、螺旋状の溝部２４，３４が形成されたスペーサ２２，３２を備え、このスペーサ２２，３２の溝部２４，３４内に光ファイバ心線２６をユニット化した多心ユニット２５または光ファイバテープ心線３５を収納したテープスロット型の光ケーブルを例に挙げて説明したが、光ファイバ心線の収納形態としては、この例に限らない。
【００３０】
図８に示すものは、内部における中心にテープスタック４５が収納されたスロットレス型の光ケーブル４０で、テープスタック４５は、長手方向に沿って所定のピッチで撚られている。そして、この光ケーブル４０では、テープスタック４５を構成する光ファイバテープ心線３５内で、この光ファイバテープ心線３５の捻回方向と逆方向に光ファイバ心線が捻回されている。
また、この光ケーブル４０は、テープスタック４５の周囲に緩衝材のヤーン４１が配設されてテープスタック４５がヤーン４１の撚りとともに捻回され、その周囲にナイロン製の４本の糸４２が巻き付けられてケーブルコアを構成しており、さらに、その外周側が外被４３によって覆われている。そして、この外被４３の中には、長手方向に沿って２本のテンションメンバ４４が設けられている。
【００３１】
図９に示すものは、中心にテンションメンバ５１を有し、このテンションメンバ５１の周囲に、多心ユニット２５をヤーン４１とともに撚り合わせて収納したスロットレス型の光ケーブル５０である。なお、図９に示す光ケーブル５０の構造は、マイクロダクトケーブルとも呼ばれる。そして、この光ケーブル５０では、多心ユニット２５内で、多心ユニット２５の捻回方向と逆方向に光ファイバ心線２６が捻回されている。
また、この光ケーブル５０は、多心ユニット２５が、その外周に設けられたヤーン４１とともに、ナイロン製の４本の糸４２によって束ねられてケーブルコアを構成し、さらに、その外周側が外被４３によって覆われている。そして、この外被４３には、長手方向に沿って２本のテンションメンバ４４が設けられている。
【００３２】
そして、上記図８及び図９に示すスロットレス型の光ケーブル４０，５０の場合も、光ファイバ心線２６を光ファイバテープ心線３５あるいは多心ユニット２５の捻回方向と逆方向へ予め捻回させることにより相対的に捻回応力をなくしたので、光ファイバ心線２６における低ＰＭＤ化を実現することができる。
【実施例】
【００３３】
各種異なる収納状態で光ファイバ心線を収納した各種光ケーブルのＰＭＤＱの測定を行った。
なお、ＰＭＤＱとは、光ケーブルを複数接続して測定した実効的なＰＭＤ値を示すものであり、ＩＥＣの推奨基準値はＰＭＤＱ≦０．２ｐｓ／ｋｍ１／２である。
【００３４】
（実施例１）
（光ケーブルのタイプ）
光ファイバテープ心線３５により構成されるテープスタック３６をスペーサ３２の溝部３４に収納した１００心のスロット型の光ケーブル（図６参照）を用いた。
【００３５】
（収納形態及び測定結果）
上記の光ケーブルにおいて、ピッチ５００ｍｍで左撚りされている溝部２４にテープスタック３６を撚り返し無しで収納した。そして、比較例として、光ファイバテープ心線３５内で光ファイバ心線２６が捻回されていない構造の光ケーブルを例１とし、本発明に係る実施例として、スペーサ３２とともに左捻回される光ファイバテープ心線３５と逆方向に、光ファイバテープ心線３５内でピッチ５００ｍｍで光ファイバ心線２６を右捻回させた光ケーブルを例２とした。
比較例の例１及び実施例の例２のそれぞれの光ケーブルにおけるユニット収納形態及びＰＭＤＱの測定結果を表１に示す。
【００３６】
【表１】
2007226051.tif 000003
【００３７】
表１からわかるように、例２の光ケーブルでは、光ファイバ心線２６を光ファイバテープ心線３５の捻回方向と逆方向へ予め捻回させて捻回量の和を０とすることにより、光ファイバ心線２６を捻回応力無しの状態にしてＩＥＣの基準を満たすように低ＰＭＤ化を実現することができた。つまり、波長多重通信等の大容量化に耐え得る光ケーブルであることがわかった。
なお、上記の例では、捻回ピッチを５００ｍｍとしたが、捻回ピッチを例えば２５０ｍｍとしてさらに捻率を大きくすることにより、さらなるＰＭＤＱの低減を図ることができた。
【００３８】
（実施例２）
（光ケーブルのタイプ）
光ファイバテープ心線３５により構成されるテープスタック４５を中心に収納した４０心のスロットレス型の光ケーブル（図８参照）を用いた。
【００３９】
（収納形態及び測定結果）
上記の光ケーブルにおいて、ピッチ５００ｍｍ，２５０ｍｍでテープスタック４５を左捻回で収納した。そして、比較例として、光ファイバテープ心線３５内で光ファイバ心線２６が捻回されていない構造の光ケーブルを例３，例４とし、本発明に係る実施例として、左捻回される光ファイバテープ心線３５と逆方向に、光ファイバテープ心線３５内でピッチ５００ｍｍ，２５０ｍｍで光ファイバ心線２６を右捻回させた光ケーブルを例５，例６とした。
比較例の例３，例４及び実施例の例５，例６のそれぞれの光ケーブルにおけるユニット収納形態及びＰＭＤＱの測定結果を表２に示す。
【００４０】
【表２】
2007226051.tif 000004
【００４１】
表２からわかるように、例５，例６の光ケーブルでは、光ファイバ心線２６を光ファイバテープ心線３５の捻回方向と逆方向へ予め捻回させて捻回量の和を０とすることにより、光ファイバ心線２６を捻回応力無しの状態にしてＩＥＣの基準を満たすように低ＰＭＤ化を実現することができた。つまり、波長多重通信等の大容量化に耐え得る光ケーブルであることがわかった。また、比較例である例３，４では、光ファイバテープ心線の捻回ピッチが小さい（すなわち捻率が大きい）の例４の方が、光ファイバ心線の捻回量が大きくなるためにＰＭＤＱが大きくなっているが、本発明に係る実施例である例５，６では、光ファイバテープ心線３５の捻回ピッチが小さい（すなわち捻率が大きい）の例６の方が、捻回応力無しの状態のままで光ファイバ心線２６の捻率が大きくなるために、さらなるＰＭＤＱの低減を図ることができた。
【００４２】
（実施例３）
（光ケーブルのタイプ）
テンションメンバ５１の周囲に多心ユニット２５を５本撚り合わせて収納した４０心のスロットレス型の光ケーブル（図９参照）を用いた。
【００４３】
（収納形態及び測定結果）
上記の光ケーブルにおいて、ピッチ５００ｍｍ，２５０ｍｍで多心ユニット２５を左捻回しながら左撚りで収納した。そして、比較例として、多心ユニット２５内で光ファイバ心線２６が捻回されていない構造の光ケーブルを例７，例８とし、本発明に係る実施例として、左捻回される多心ユニット２５と逆方向に、多心ユニット２５内でピッチ５００ｍｍ，２５０ｍｍで光ファイバ心線２６を右捻回させた光ケーブルを例９，例１０とした。
比較例の例７，例８及び実施例の例９，例１０のそれぞれの光ケーブルにおけるユニット収納形態及びＰＭＤＱの測定結果を表３に示す。
【００４４】
【表３】
2007226051.tif 000005
【００４５】
表３からわかるように、例９，例１０の光ケーブルでは、光ファイバ心線２６を多心ユニット２５の捻回方向と逆方向へ予め捻回させて捻回量の和を０とすることにより、光ファイバ心線２６を捻回応力無しの状態にしてＩＥＣの基準を満たすように低ＰＭＤ化を実現することができた。つまり、波長多重通信等の大容量化に耐え得る光ケーブルであることがわかった。比較例である例７，８では、多心ユニットの捻回ピッチが小さい（すなわち捻率が大きい）の例８の方が、光ファイバ心線の捻回量が大きくなるためにＰＭＤＱが大きくなっているが、本発明に係る実施例である例９，１０では、多心ユニット２５の捻回ピッチが小さい（すなわち捻率が大きい）の例６の方が、捻回応力無しの状態のままで光ファイバ心線２６の捻率が大きくなるために、さらなるＰＭＤＱの低減を図ることができた。
【図面の簡単な説明】
【００４６】
【図１】光ファイバ心線を捻回させた際に生じるＰＭＤを示すグラフである。
【図２】本発明に係る光ケーブルの構造の例を示す断面図である。
【図３】溝部、多心ユニット、及び光ファイバ心線の向きの変化を示す模式図である。
【図４】光ケーブルに収納した光ファイバ心線の捻率とＰＭＤとの関係を示すグラフである。
【図５】光ケーブルに収納した光ファイバ心線の捻率とＰＭＤとの関係を示すグラフである。
【図６】他の実施形態に係る光ケーブルの構造を示す断面図である。
【図７】溝部、光ファイバテープ心線、及び光ファイバ心線の向きの変化を示す模式図である。
【図８】光ケーブルの他の構造を示す光ケーブルの断面図である。
【図９】光ケーブルの他の構造を示す光ケーブルの断面図である。
【符号の説明】
【００４７】
２０，３０，４０，５０  光ケーブル
２２，３２  スペーサ
２４，３４  溝部
２５  多心ユニット（光ファイバユニット）
２６  光ファイバ心線
２７  樹脂
３５  光ファイバテープ心線（光ファイバユニット）
３６，４５  テープスタック
【図１】
2007226051.tif 000006
【図２】
2007226051.tif 000007
【図３】
2007226051.tif 000008
【図４】
2007226051.tif 000009
【図５】
2007226051.tif 000010
【図６】
2007226051.tif 000011
【図７】
2007226051.tif 000012
【図８】
2007226051.tif 000013
【図９】
2007226051.tif 000014